(57)【要約】【課題】ケース本体に対する蓋体の着脱に係る作業における作業性を確保しつつ、雑音を抑制することが可能な電源装置を提供する。【解決手段】電源装置は、開口を有するケース本体と、ケース本体の開口を覆うように取付けられる蓋体と、を有する筐体と；ケース本体の内部に設けられているとともに、１つ以上の回路素子が設けられた回路基板と；蓋体の内面側に一端が接続され、ケース本体の内部の所定の位置に他端が固定されているとともに、蓋体がケース本体に対して取り付けられている状態において、回路素子の周囲に設定される配線禁止領域の内部に入らないような配線長を有して構成された配線部材と；を具備する。【選択図】図５
2019149318.tif 000002
【特許請求の範囲】
【請求項１】
開口を有するケース本体と、前記ケース本体の開口を覆うように取付けられる蓋体と、を有する筐体と；
前記ケース本体の内部に設けられているとともに、１つ以上の回路素子が設けられた回路基板と；
前記蓋体の内面側に一端が接続され、前記ケース本体の内部の所定の位置に他端が固定されているとともに、前記蓋体が前記ケース本体に対して取り付けられている状態において、前記回路素子の周囲に設定される配線禁止領域の内部に入らないような配線長を有して構成された配線部材と；
を具備したことを特徴とする電源装置。
【請求項２】
前記蓋体が前記ケース本体に対して取り付けられている状態における前記配線部材の配線方向が、前記所定の位置から前記配線禁止領域が小さな領域へ向かう方向に誘導される
ことを特徴とする請求項１に記載の電源装置。
【請求項３】
前記配線部材の一端が、所定の構造物を介して前記蓋体の内面側に取り付けられる
ことを特徴とする請求項１または２に記載の電源装置。
【発明の詳細な説明】
【技術分野】
【０００１】
本発明の実施形態は、電源装置に関する。
【背景技術】
【０００２】
ケース本体及び当該ケース本体に対して取り付けられる蓋体を有する電気機器の内部配線に係る提案が従来行われている。
【０００３】
具体的には、例えば、特許文献１には、ケース本体及び当該ケース本体に対して取り付けられる蓋体で構成される筐体に対し、当該ケース本体の内部に設けられた配線基板と当該筐体との間をアース引出線により接続した構成が開示されている。
【先行技術文献】
【特許文献】
【０００４】
【特許文献１】特開２００９−７０８８７号公報
【発明の概要】
【発明が解決しようとする課題】
【０００５】
実施形態は、ケース本体に対する蓋体の着脱に係る作業における作業性を確保しつつ、雑音を抑制することが可能な電源装置を提供する。
【課題を解決するための手段】
【０００６】
実施形態の電源装置は、開口を有するケース本体と、前記ケース本体の開口を覆うように取付けられる蓋体と、を有する筐体と；前記ケース本体の内部に設けられているとともに、１つ以上の回路素子が設けられた回路基板と；前記蓋体の内面側に一端が接続され、前記ケース本体の内部の所定の位置に他端が固定されているとともに、前記蓋体が前記ケース本体に対して取り付けられている状態において、前記回路素子の周囲に設定される配線禁止領域の内部に入らないような配線長を有して構成された配線部材と；を具備する。
【発明の効果】
【０００７】
実施形態の電源装置によれば、ケース本体に対する蓋体の着脱に係る作業における作業性を確保しつつ、雑音を抑制することができる。
【図面の簡単な説明】
【０００８】
【図１】実施形態に係る電源装置を有する照明装置の構成の一例を説明するための図。
【図２Ａ】実施形態に係る電源装置の外観の一例を示す図。
【図２Ｂ】実施形態に係る電源装置を図２Ａの矢印ＡＲに示す方向から見た場合の図。
【図３】実施形態に係る電源装置における蓋体の内面側の構成を説明するための図。
【図４】図３のＩＶ−ＩＶ線断面図。
【図５】実施形態に係る電源装置におけるケース本体の内部の構成を説明するための図。
【図６】実施形態に係る電源装置におけるケース本体の内部の構成を説明するための図。
【図７】実施形態に係る電源装置において、蓋体がケース本体に対して取り付けられた状態で当該ケース本体の長手方向断面を幅方向から見たときの断面図。
【図８】図５の構成に対応する配線禁止領域を設定した場合の例を示す図。
【図９Ａ】実施形態に係る電源装置において、ケース本体の開口縁に蓋体の縁が略一致するように配置してアース線を接続した状態を示す図。
【図９Ｂ】実施形態に係る電源装置において、蓋体の縁をケース本体の開口内側までずらして配置してアース線を接続した状態を示す図。
【図９Ｃ】実施形態に係る電源装置において、アース線取付部材同士を結ぶ線分が筐体の長手方向に直交するように蓋体及びケース本体を配置してアース線を接続した状態を示す図。
【図１０】実施形態に係る電源装置において、図５とは異なる位置にアース線取付部材を設置した場合の例を示す図。
【図１１】実施形態に係る電源装置に対して追加機能を付与する装置を設けた場合の例を説明するための図。
【図１２】実施形態に係る電源装置に対して追加機能を付与する装置を設けた場合の例を説明するための図。
【図１３】実施形態に係る電源装置に対して追加機能を付与する装置を設けた場合の例を説明するための図。
【図１４】実施形態に係る電源装置に対して追加機能を付与する装置を設けた場合の例を説明するための図。
【図１５】実施形態に係る電源装置に対して追加機能を付与する装置を設けた場合の例を説明するための図。
【発明を実施するための形態】
【０００９】
以下、図面を参照して実施形態を説明する。
【００１０】
照明装置１は、図１に示すように、光源ユニット１１と、電源装置１２と、を有して構成されている。図１は、実施形態に係る電源装置を有する照明装置の構成の一例を説明するための図である。
【００１１】
光源ユニット１１は、例えば、ＬＥＤを有して構成されている。また、光源ユニット１１は、電源装置１２から供給される駆動電力によって点灯されるように構成されている。
【００１２】
電源装置１２は、商用電源等の外部電源１０１から電力が供給されるとともに、当該供給された電力を光源ユニット１１の点灯に必要な電力に変換する。なお、電源装置１２は図示しない調光線を介して調光信号を受信し、当該受信した調光信号に基づいて光源ユニット１１に供給する駆動電力へ変換するようにしてもよい。また、電源装置１２は、図２Ａ及び図２Ｂに示すように、金属製の筐体２１を有して構成されている。図２Ａは、実施形態に係る電源装置の外観の一例を示す図である。図２Ｂは、実施形態に係る電源装置を図２Ａの矢印ＡＲに示す方向から見た場合の図である。
【００１３】
筐体２１は、蓋体２１Ａと、上方に開口を有する断面凹状のケース本体２１Ｂと、を有する箱形に形成されている。また、図２Ａ及び図２Ｂに示すように、ケース本体２１Ｂの長手方向一端には配線開口が設けられており、この配線開口を塞ぐようにケース蓋２１Ｃが取り付けられている。ケース蓋２１Ｃには、外部電源１０１から供給される電力を入力するための入力線と、光源ユニット１１に対して駆動電力を供給するための出力線と、がそれぞれ挿通される導入部２２が設けられている。導入部２２は、入力線及び出力線を挿通した状態で締めこむことにより、当該入力線または当該出力線との隙間を塞ぐように密着して防水されるように構成されている。ケース蓋２１Ｃもまた、ケース本体２１Ｂとの間が防水構造となるように取り付けられる。
【００１４】
蓋体２１Ａは、ケース本体２１Ｂとは別体に構成されており、ケース本体２１Ｂの開口を覆うようにケース本体２１Ｂに着脱可能に取り付けられる。また、蓋体２１Ａは、例えば、ねじ等の固定部材により、ケース本体２１Ｂの開口に固定される。さらに、蓋体２１Ａとケース本体２１Ｂとの間には、図示しないパッキンが配設されている。そのため、蓋体２１Ａとケース本体２１Ｂとの間から筐体２１内への水の浸入を防止することができる。
【００１５】
図３は、実施形態に係る電源装置における蓋体の内面側の構成を説明するための図である。図３に示すように、蓋体２１Ａの内面側には、アース線取付部材３１と、拡張スロット３２と、が設けられている。
【００１６】
アース線取付部材３１は、アース線６２（後述）の一端を蓋体２１Ａの内面側に取り付けるための取付部材として構成されている。また、アース線取付部材３１は、例えば、ねじ等の固定部材を具備し、蓋体２１Ａの内面側における後述の条件を満たすような所定の位置に設置されているとともに、当該所定の位置にアース線６２の一端を固定することができるように構成されている。
【００１７】
拡張スロット３２は、例えば、図３及び図４に示すように、蓋体２１Ａに取り付けられている。図４は、図３のＩＶ−ＩＶ線断面図である。
【００１８】
ケース本体２１Ｂの内底部には、図５及び図６に示すように、３つの回路基板３３Ａ、３３Ｂ及び３３Ｃが、ケース本体２１Ｂの長手方向（図５の左右方向に相当）に沿って並べられた状態で設けられている。なお、本実施形態においては、図示及び説明の便宜のため、３つの回路基板３３Ａ、３３Ｂ及び３３Ｃを総称して回路基板３３と記述する場合があるものとする。ケース本体２１Ｂの内部には、図５に示すように、導入部２２に挿通された入力線及び出力線と接続される端子部２３が配設されている。端子部２３は、入力端子２３Ａ及び出力端子２３Ｂを有して構成されている。入力端子２３Ａは、回路基板３３Ａ、３３Ｂ及び３３Ｃの入力側との間をそれぞれ入力側配線部材４２によって接続される。出力端子２３Ｂは、回路基板３３Ａ、３３Ｂ及び３３Ｃの出力側との間をそれぞれ出力側配線部材５２によって接続される。図５及び図６は、実施形態に係る電源装置におけるケース本体２１Ｂの内部の構成を説明するための図である。
【００１９】
図５及び図６に示すように、回路基板３３Ａ、３３Ｂ及び３３Ｃの入力側には、ノイズ除去等を行うための１つ以上の回路素子４１Ａが設けられている。また、回路素子４１Ａは、ケース本体２１Ｂの幅方向（図５の上下方向及び図６の左右方向に相当）に対して平行な方向である、回路基板３３の長手方向の一端側に設けられている。また、回路素子４１Ａは、図６に示すように、回路基板３３の表面からの最大高さがＬＨＡになるような部品を用いて構成されている。
【００２０】
図５及び図６に示すように、回路基板３３Ａ、３３Ｂ及び３３Ｃの出力側には、駆動電力を生成するための１つ以上の回路素子５１Ａが設けられている。また、回路素子５１Ａは、回路基板３３の長手方向の他端側に設けられている。また、回路素子５１Ａは、図６に示すように、回路基板３３の表面からの最大高さがＬＨＡよりも大きな高さであるＬＨＢになるような部品を用いて構成されている。
【００２１】
すなわち、以上に述べたような構成によれば、回路基板３３は、１つ以上の回路素子を表面上に設けて構成されている。また、以上に述べたような構成によれば、回路素子４１Ａおよび回路素子５１Ａは、回路基板３３の表面上における、ケース本体２１Ｂの幅方向に対して平行な方向に沿って離れた位置にそれぞれ設けられている。
【００２２】
ケース本体２１Ｂの内部には、図５及び図７に示すように、アース線取付部材６１が設けられている。図７は、実施形態に係る電源装置において、蓋体がケース本体に対して取り付けられている状態の一例を示す図である。
【００２３】
アース線取付部材６１は、アース線６２の他端をケース本体２１Ｂの内底部に取り付けるための取付部材として構成されている。なお、アース線取付部材６１は、例えば、ケース本体２１Ｂの内底部に直接固定してもよく、または、端子部２３を取り付けるための図示しない取付板の一部として構成してもよい。また、アース線取付部材６１は、例えば、ねじ等の固定部材を具備し、ケース本体２１Ｂの内底部の所定の位置に設置されているとともに、当該所定の位置にアース線６２の他端を固定することができるように構成されている。
【００２４】
アース線６２は、アース線取付部材３１に一端が接続されるとともに、アース線取付部材６１に他端が固定されるように構成されている。具体的には、アース線６２は、例えば、アース線取付部材３１においてねじ止め可能な圧着端子を一端に設けて構成されているとともに、アース線取付部材６１においてねじ止め可能な圧着端子を他端に設けて構成されている。このように、アース線６２の両端がアース線取付部材３１及びアース線取付部材６１に固定されることにより、蓋体２１Ａとケース本体２１Ｂとの間のアースの連続性を確保することができる。特に、蓋体２１Ａとケース本体２１Ｂとが別体で構成されるとともに、防水等の目的で蓋体２１Ａとケース本体２１Ｂとの間にパッキン等の絶縁部材を介在させる場合であっても、蓋体２１Ａとケース本体２１Ｂとを電気的に接続してアースの連続性を確保することができる。
【００２５】
ここで、本実施形態に係る電源装置１２においては、図７及び図８に示すように、蓋体２１Ａがケース本体２１Ｂに対して取り付けられている状態において、アース線６２が配線禁止領域ＷＰＡの内部に入らないように配置される。図７は、ケース本体２１Ｂに蓋体２１Ａを取り付けた状態でケース本体２１Ｂの長手方向断面を幅方向から見たときの断面図である。図７の一点鎖線により囲まれる領域が回路素子５１Ａに対応する配線禁止領域ＷＰＡとして設定される。図８は、図５の構成に対応する配線禁止領域を設定した場合の例を示す図である。本実施形態では、アース線取付部材３１とアース線取付部材６１とを接続するアース線６２が、回路素子４１Ａ及び５１Ａの周囲に設定される配線禁止領域ＷＰＡの内部に入らないような配線長を有して構成される。言い換えると、アース線６２の全長は、蓋体２１Ａがケース本体２１Ｂに対して取り付けられている状態におけるアース線取付部材３１とアース線取付部材６１とを結ぶ直線距離ＥＫに対し、所定の長さ未満の余長を加えた長さとなるように構成されている。アース線６２が過度に長い場合には、蓋体２１Ａがケース本体２１Ｂに対して取り付けられている状態において、アース線６２の少なくとも一部が回路素子４１Ａまたは回路素子５１Ａのいずれかに近接した位置に配置されることに起因し、当該回路素子から発せられる雑音がアース線６２に侵入し易くなってしまうおそれがある。
【００２６】
そのため、本実施形態においては、回路素子４１Ａおよび回路素子５１Ａとアース線とが接触した際のまたは近接配置された際の雑音の強度が所定の強度よりも大きな領域を配線禁止領域ＷＰＡとして設定するとともに、蓋体２１Ａがケース本体２１Ｂに対して取り付けられている状態において、アース線６２が当該配線禁止領域ＷＰＡの内部に入らないように、アース線６２の余長及びアース線取付部材３１及び６１の設置位置をそれぞれ規定するようにしている。
【００２７】
なお、配線禁止領域ＷＰＡは、回路素子４１Ａ及び５１Ａの各々の周囲を囲むように設定される領域である。そのため、図５に例示したような位置に回路素子４１Ａ及び５１Ａが設けられている場合には、配線禁止領域ＷＰＡが存在しない領域である、回路基板３３の長手方向の中心付近の領域をアース線６２が通過するように、アース線６２の余長及びアース線取付部材３１の設置位置をそれぞれ規定すればよい。
【００２８】
また、本実施形態に係る電源装置１２においては、回路素子４１Ａ及び回路素子５１Ａが回路基板３３の幅方向にそれぞれ配置されているとともに、ケース本体２１Ｂの幅方向の中央領域にアース線６２を配置するようにアース線取付部材３１及び６１を配設している。そのため、本実施形態に係る電源装置１２においては、アース線６２に余長を持たせることができ、その結果、蓋体２１Ａにアース線６２を接続するときの施工性を向上させることができる。
【００２９】
次に、アース線６２の余長を規定したときの施工方法について、図９Ａ、図９Ｂ及び図９Ｃを参照しつつ説明する。図９Ａ、図９Ｂ及び図９Ｃは、内面側を上方に向けた蓋体２１Ａのアース線取付部材３１と、開口を上方に向けて配置したケース本体２１Ｂのアース線取付部材６１と、の間をアース線６２で接続した状態を示している。なお、図９Ａ、図９Ｂ及び図９Ｃにおいては、図示の簡単のため、以下に述べる施工方法の説明に関係する部分以外の各部の記載を省略しているものとする。
【００３０】
アース線６２の両端をアース線取付部材３１及びアース線取付部材６１に接続する作業は、ケース本体２１Ｂに対して蓋体２１Ａを取り付ける前に行われる。従って、アース線６２に十分な余長が無い場合には、アース線６２の両端をアース線取付部材３１及び６１に接続する作業が困難になる。図９Ａは、ケース本体２１Ｂの開口縁に蓋体２１Ａの縁が略一致するように配置してアース線６２を接続した状態を示している。図９Ａに示すような状態においては、アース線取付部材３１とアース線取付部材６１との間の距離に対してアース線６２に余長を持たせることにより施工性を向上させることができる。その一方で、図９Ａに示すような状態でケース本体２２Ｂの開口を塞ぐように蓋体２２Ａを取り付けた場合には、アース線６２の余長が長いことに起因し、アース線６２が配線禁止領域ＷＰＡの内部に入る可能性が生じる。
【００３１】
そこで、本実施形態においては、例えば、図９Ｂに示すように、蓋体２２Ａの縁をケース本体２２Ｂの開口内側までずらした状態でアース線６２がアース線取付部材３１及びアース線取付部材６１に接続されるようにしている。なお、図９Ｂにおいては、アース線取付部材６１がケース本体２２Ｂの幅方向中央に配設されているとともに、アース線取付部材３１が蓋体２２Ａの幅方向中央よりも側縁側に配設されている場合を示している。そして、図９Ｂに示すような状態からケース本体２２Ｂの開口を塞ぐように蓋体２２Ａを取り付けた場合には、蓋体２２Ａがケース本体２２Ｂに対して取り付けられた状態で、余長を規制した全長を有するアース線６２が配線禁止領域ＷＰＡの内部に入ることを抑制することができる。このような場合には、アース線６２の全長（配線長）を、アース線取付部材６１の設置位置（ケース本体２１Ｂの内底部の所定の位置）からケース本体２１Ｂの開口までの高さ方向（図６の上下方向に相当）の長さＥＬに対し、蓋体２２Ａの縁からアース線取付部材３１までの最短距離を余長として加えた長さになるようにすればよい。すなわち、本実施形態においては、アース線６２の全長（配線長）が、少なくとも、図７の破線で示した部分の長さＥＬに対して余長を加えた長さとして設定される。このように、アース線６２の全長は、アース線取付部材３１の位置に関わらず、長さＥＬよりも長く設定される。図９Ｂは、アース線６２の全長が最も短くなり、かつ、アース線６２の余長が極力小さくなるように設定した場合を示している。
【００３２】
また、本実施形態においては、例えば、図９Ｃに示すように、ケース本体２２Ｂの開口の縁と蓋体２２Ａの縁とを一致させ、かつ、蓋体２２Ａとケース本体２２Ｂとを互いに長手方向にずらした状態でアース線６２が接続されるようにしてもよい。図９Ｃは、アース線取付部材３１とアース線取付部材６１とを結ぶ線分が筐体２２の長手方向に直交するように蓋体２２Ａ及びケース本体２２Ｂを配置した状態を示している。図９Ｃに示すような状態におけるアース線６２の全長は、少なくともアース線取付部材３１とアース線取付部材６１との間を接続可能な長さ、つまり直線距離ＥＫよりも長く、かつ、蓋体２２Ａをケース本体２２Ｂに取り付けた際に配線禁止領域ＷＰＡの内部に入らないような長さとして設定される。なお、図９Ｃにおいては、アース線取付部材３１とアース線取付部材６１とがそれぞれ蓋体２２Ａとケース本体２２Ｂの幅方向中央に配設されている場合を示している。そして、このような場合においては、蓋体２２Ａをケース本体２２Ｂに対して取り付けることにより、アース線取付部材３１とアース線取付部材６１とが長手方向にずれるように配設される。ここで、図９Ｃに示すようにケーケ本体２２Ｂの開口の縁と蓋体２２Ａの縁とを一致させ、かつ、蓋体２２Ａとケース本体２２Ｂとを互いに長手方向にずらした状態において、アース線取付部材３１を蓋体２２Ａのアース線取付部材６１側の縁側に配設するとともに、アース線６２の全長をアース線取付部材３１とアース線取付部材６１とを結ぶ最短距離で接続する長さとすることにより、アース線６２の余長を短くすることができる。また、アース線取付部材３１を蓋体２２Ａのアース線取付部材６１と反対側の縁側に配設した場合には、アース線６２の余長を長く設定することができる。
【００３３】
図１０は、実施形態に係る電源装置において、図５とは異なる位置にアース線取付部材を設置した場合の例を示す図である。本実施形態に係る電源装置１２においては、回路素子４１Ａの最大高さＬＨＡが回路素子５１Ａの最大高さＬＨＢよりも小さいこと（図６参照）に起因し、回路素子４１Ａに対応する配線禁止領域ＷＰＡを、回路素子５１Ａに対応する配線禁止領域ＷＰＡに比べて相対的に小さな領域に設定することができる。そのため、本実施形態に係る電源装置１２においては、例えば、図１０に示すように、蓋体２１Ａがケース本体２１Ｂに対して取り付けられている状態におけるアース線６２の配線方向を、アース線取付部材６１の設置位置（ケース本体２１Ｂの内底部の所定の位置）から回路素子４１Ａ側（配線禁止領域ＷＰＡが小さな領域）へ向かう方向に誘導するような位置にアース線取付部材３１を設置してもよい。そして、図１０に例示した構成によれば、図５に例示した構成に比べてアース線６２の余長を長くすることができる。
【００３４】
以上に述べたように、本実施形態の電源装置１２によれば、アース線６２の両端がアース線取付部材３１及び６１に接続されている状態における蓋体２１Ａの可動域と、回路基板３３の表面上に設けられた各回路素子から発せられる雑音の強度と、をそれぞれ考慮しつつ、アース線６２の余長及びアース線取付部材３１の設置位置が規定されるようにしている。そのため、本実施形態の電源装置１２によれば、ケース本体に対する蓋体の着脱に係る作業における作業性を確保しつつ、雑音を抑制することができる。
【００３５】
なお、本実施形態においては、前述したようなアース線６２の余長及びアース線取付部材３１の設置位置の規定方法を、拡張スロット３２に設けられた装置に接続される配線部材の余長と、拡張スロット３２の設置位置と、を規定する際の規定方法として応用してもよい。
【００３６】
具体的には、例えば、図１１に示すように、電源装置１２をサージから保護する機能を有する装置である、サージ防護装置７１が拡張スロット３２に設けられている場合においては、入力側配線部材４２の一端と、アース線６２とは別体のアース線６２Ａの一端と、がサージ防護装置７１に接続される。そのため、サージ防護装置７１が拡張スロット３２に設けられている場合においては、前述したようなアース線６２の余長及びアース線取付部材３１の設置位置の規定方法を、端子部２３の入力端子２３Ａに他端が固定されている入力側配線部材４２の余長と、アース線取付部材６１に他端が固定されているアース線６２Ａの余長と、拡張スロット３２の設置位置と、を規定する際の規定方法として応用することができる。図１１は、実施形態に係る電源装置に対して追加機能を付与する装置を設けた場合の例を説明するための図である。
【００３７】
また、例えば、図１２に示すように、外部電源１０１から供給される電力に含まれる雑音を低減する機能を有する装置である、雑音低減装置７２が拡張スロット３２に設けられている場合においては、入力側配線部材４２の一端と、アース線６２Ａの一端と、が雑音低減装置７２に接続される。そのため、雑音低減装置７２が拡張スロット３２に設けられている場合においては、前述したようなアース線６２の余長及びアース線取付部材３１の設置位置の規定方法を、端子部２３の入力端子２３Ａに他端が固定されている入力側配線部材４２の余長と、アース線取付部材６１に他端が固定されているアース線６２Ａの余長と、拡張スロット３２の設置位置と、を規定する際の規定方法として応用することができる。図１２は、実施形態に係る電源装置に対して追加機能を付与する装置を設けた場合の例を説明するための図である。
【００３８】
また、例えば、図１３に示すように、外部電源１０１から供給される電力の電圧を変圧する機能を有する装置である、変圧装置７３が拡張スロット３２に設けられている場合においては、入力側配線部材４２の一端と、アース線６２Ａの一端と、が変圧装置７３に接続される。そのため、変圧装置７３が拡張スロット３２に設けられている場合においては、前述したようなアース線６２の余長及びアース線取付部材３１の設置位置の規定方法を、端子部２３の入力端子２３Ａに他端が固定されている入力側配線部材４２の余長と、アース線取付部材６１に他端が固定されているアース線６２Ａの余長と、拡張スロット３２の設置位置と、を規定する際の規定方法として応用することができる。図１３は、実施形態に係る電源装置に対して追加機能を付与する装置を設けた場合の例を説明するための図である。
【００３９】
また、例えば、図１４に示すように、光源ユニット１１の点灯時の光量を調整するために電源装置１２の外部から供給されるパルス状の調光信号のデューティー比を変換する機能を有する装置である、調光信号変換装置７４が拡張スロット３２に設けられている場合においては、端子部２３から入力される調光信号を回路基板３３へ伝送するための配線部材である調光線８１の一端が調光信号変換装置７４に接続される。そのため、調光信号変換装置７４が拡張スロット３２に設けられている場合においては、前述したようなアース線６２の余長及びアース線取付部材３１の設置位置の規定方法を、端子部２３に他端が固定されている調光線８１の余長と、拡張スロット３２の設置位置と、を規定する際の規定方法として応用することができる。図１４は、実施形態に係る電源装置に対して追加機能を付与する装置を設けた場合の例を説明するための図である。
【００４０】
また、例えば、図１５に示すように、回路基板３３と同様の機能を有する回路基板を内蔵した装置である、電気回路装置７５が拡張スロット３２に設けられている場合においては、回路基板３３に接続されている入力側配線部材４２とは別体の入力側配線部材４２Ａの一端と、出力回路部５１に接続されている出力側配線部材５２とは別体の出力側配線部材５２Ａの一端と、が電気回路装置７５に接続される。そのため、電気回路装置７５が拡張スロット３２に設けられている場合においては、前述したようなアース線６２の余長及びアース線取付部材３１の設置位置の規定方法を、端子部２３の入力端子２３Ａに他端が固定されている入力側配線部材４２Ａの余長と、端子部２３の出力端子２３Ｂに他端が固定されている出力側配線部材５２Ａの余長と、拡張スロット３２の設置位置と、を規定する際の規定方法として応用することができる。図１５は、実施形態に係る電源装置に対して追加機能を付与する装置を設けた場合の例を説明するための図である。なお、拡張スロット３２は、任意の形状及び／または部材を用いて形成されていてもよい。また、本実施形態においては、拡張スロット３２を設けずに、サージ防護装置７１等を直接または他の部材を介して蓋体２１Ａに取り付けるように構成されていてもよい。
【００４１】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４２】
１  照明装置
１１  光源ユニット
１２  電源装置
２１  筐体
２１Ａ  蓋体
２１Ｂ  ケース本体
３１，６１  アース線取付部材
３３Ａ，３３Ｂ，３３Ｃ  回路基板
４２  入力側配線部材
５２  出力側配線部材
６２  アース線
【図１】
2019149318.tif 000003
【図２Ａ】
2019149318.tif 000004
【図２Ｂ】
2019149318.tif 000005
【図３】
2019149318.tif 000006
【図４】
2019149318.tif 000007
【図５】
2019149318.tif 000008
【図６】
2019149318.tif 000009
【図７】
2019149318.tif 000010
【図８】
2019149318.tif 000011
【図９Ａ】
2019149318.tif 000012
【図９Ｂ】
2019149318.tif 000013
【図９Ｃ】
2019149318.tif 000014
【図１０】
2019149318.tif 000015
【図１１】
2019149318.tif 000016
【図１２】
2019149318.tif 000017
【図１３】
2019149318.tif 000018
【図１４】
2019149318.tif 000019
【図１５】
2019149318.tif 000020